(57)【要約】【課題】取り扱いが容易な水素ガス発生器及び水素ガス発生方法を提供する。【解決手段】水素ガス発生器１２は、底面の外側に窪み１２６が設けられ、窪み１２６に孔１２８が形成された容器部１２２と、容器部１２２に取り付けられる蓋１２４と、を備え、蓋１２４が取り付けられた容器部１２２の中で、マグネシウム合金及びクエン酸水溶液が反応することによって、孔１２８から水素ガスが放出される。【選択図】図１
2017140336.tif 000002
【特許請求の範囲】
【請求項１】
孔が形成された容器部と、
前記容器部が取り付けられる容器固定部と、
前記容器固定部から延び、耳に掛けられる耳掛け部と、を備え、
前記容器部の中で、マグネシウム合金及びクエン酸水溶液が反応することによって、前記孔から水素ガスが放出される水素ガス発生器。
【請求項２】
孔が形成された容器部と、
前記容器部に取り付けられる蓋と、を備え、
前記蓋が取り付けられた前記容器部の中で、マグネシウム合金及びクエン酸水溶液が反応することによって、前記孔から水素ガスが放出される水素ガス発生器。
【請求項３】
底面の外側に窪みが設けられ、該窪みに孔が形成された容器部と、
前記容器部に取り付けられる蓋と、を備え、
前記蓋が取り付けられた前記容器部の中で、マグネシウム合金及びクエン酸水溶液が反応することによって、前記孔から水素ガスが放出される水素ガス発生器。
【請求項４】
容器部と、
前記容器部から延びて鼻孔に挿入されるチューブと、を備え、
前記容器部の中で、マグネシウム合金及びクエン酸水溶液が反応することによって、前記チューブを介して前記鼻孔へ水素ガスが供給される水素ガス発生器。
【請求項５】
容器部と、
前記容器部に取り付けられ孔が形成された蓋と、を備え、
前記蓋が取り付けられた前記容器部の中で、マグネシウム合金及びクエン酸水溶液が反応することによって、前記孔から水素ガスが放出される水素ガス発生器。
【請求項６】
マグネシウム合金、クエン酸水溶液、前記クエン酸水溶液を吸収する吸収体、及び底面の外側に窪みが設けられ該窪みに孔が形成されている容器を準備するステップと、
前記マグネシウム合金を前記吸収体で包むステップと、
前記マグネシウム合金を包んだ前記吸収体を前記容器に入れるステップと、
前記吸収体に前記クエン酸水溶液を含ませるステップと、を含む水素ガス発生方法。
【発明の詳細な説明】
【技術分野】
【０００１】
本発明は、水素ガス発生器及び水素ガス発生方法に関する。
【背景技術】
【０００２】
近年、水素ガスを用いた各種疾患の治療や健康法が注目されている。
特許文献１には、化学反応により発生した水素ガスを直接吸引する水素ガスの吸引方法が記載されている。この水素ガスの吸引方法は、マグネシウム又は水素化マグネシウムの化学反応によって発生する微量の水素ガスを鼻孔や口腔の粘膜を通じて直接吸引することを特徴としている。また、この水素ガスの吸引方法は、マグネシウムや水素化マグネシウムから水素ガスを発生させる酸としてカルボキシル基を持つ有機酸を用いることを特徴としている。
【先行技術文献】
【特許文献】
【０００３】
【特許文献１】特開２００９−２７９２４１号公報
【発明の概要】
【発明が解決しようとする課題】
【０００４】
本発明は、取り扱いが容易な水素ガス発生器及び水素ガス発生方法を提供することを目的とする。
【課題を解決するための手段】
【０００５】
前記目的に沿う第１の発明に係る水素ガス発生器は、孔が形成された容器部と、
前記容器部が取り付けられる容器固定部と、
前記容器固定部から延び、耳に掛けられる耳掛け部と、を備え、
前記容器部の中で、マグネシウム合金及びクエン酸水溶液が反応することによって、前記孔から水素ガスが放出される。
【０００６】
前記目的に沿う第２の発明に係る水素ガス発生器は、孔が形成された容器部と、
前記容器部に取り付けられる蓋と、を備え、
前記蓋が取り付けられた前記容器部の中で、マグネシウム合金及びクエン酸水溶液が反応することによって、前記孔から水素ガスが放出される。
【０００７】
前記目的に沿う第３の発明に係る水素ガス発生器は、底面の外側に窪みが設けられ、該窪みに孔が形成された容器部と、
前記容器部に取り付けられる蓋と、を備え、
前記蓋が取り付けられた前記容器部の中で、マグネシウム合金及びクエン酸水溶液が反応することによって、前記孔から水素ガスが放出される。
【０００８】
前記目的に沿う第４の発明に係る水素ガス発生器は、容器部と、
前記容器部から延びて鼻孔に挿入されるチューブと、を備え、
前記容器部の中で、マグネシウム合金及びクエン酸水溶液が反応することによって、前記チューブを介して前記鼻孔へ水素ガスが供給される。
【０００９】
前記目的に沿う第５の発明に係る水素ガス発生器は、容器部と、
前記容器部に取り付けられ孔が形成された蓋と、を備え、
前記蓋が取り付けられた前記容器部の中で、マグネシウム合金及びクエン酸水溶液が反応することによって、前記孔から水素ガスが放出される。
【００１０】
前記目的に沿う第６の発明に係る水素ガス発生方法は、マグネシウム合金、クエン酸水溶液、前記クエン酸水溶液を吸収する吸収体、及び底面の外側に窪みが設けられ該窪みに孔が形成されている容器を準備するステップと、
前記マグネシウム合金を前記吸収体で包むステップと、
前記マグネシウム合金を包んだ前記吸収体を前記容器に入れるステップと、
前記吸収体に前記クエン酸水溶液を含ませるステップと、を含む。
【発明の効果】
【００１１】
本発明によれば、取り扱いが容易な水素ガス発生器及び水素ガス発生方法を提供できる。
【図面の簡単な説明】
【００１２】
【図１】（Ａ）、（Ｂ）はそれぞれ、本発明の第１の実施の形態に係る水素ガス発生器を上面側及び底面側から見た外観図である。
【図２】同水素ガス発生器の説明図である。
【図３】本発明の第２の実施の形態に係る水素ガス発生器の外観図である。
【図４】本発明の第３の実施の形態に係る水素ガス発生器の外観図である。
【図５】本発明の第４の実施の形態に係る水素ガス発生器の外観図である。
【発明を実施するための形態】
【００１３】
続いて、添付した図面を参照しつつ、本発明を具体化した実施の形態につき説明し、本発明の理解に供する。なお、図において、説明に関連しない部分は図示を省略する場合がある。
【００１４】
〔第１の実施の形態〕
本発明の第１の実施の構成に係る水素ガス発生器１２は、図１（Ａ）及び図１（Ｂ）に示すように、容器部１２２及び蓋１２４を備え、容器部１２２の内部にてマグネシウム合金及びクエン酸水溶液が反応することによって、例えば、痛みが生じた患部の治療に使用する水素を発生できる。
【００１５】
容器部１２２は、平面視して円形状であり、上方が開口している。開口部の端部の外周面には、雄ねじが形成されている。容器部１２２の外側底面には窪み１２６が設けられている。この窪み１２６には、孔１２８が形成されている。
容器部１２２は、例えば樹脂製である。また、容器部１２２の直径は、例えば２０〜５０ｍｍであり、高さは１０〜５０ｍｍである。
なお、窪み１２６及び孔１２８は、容器部１２２ではなく、蓋１２４に形成されていてもよい。
【００１６】
蓋１２４は、容器部１２２の開口部を覆うことができる。蓋１２４には、容器部１２２の雄ねじに対応する雌ねじが形成され、容器部１２２にねじ込まれることにより、容器部１２２に取り付けられる。
なお、蓋１２４は、例えば樹脂製である。
【００１７】
次に、水素ガス発生器１２の使用方法（水素ガス発生方法）について説明する。
まず、使用者は、図２に示す水素ガス発生器１２、マグネシウム合金片１４、クエン酸水溶液（不図示）、及び吸収体１６を準備する。
【００１８】
ここで、マグネシウム合金片１４は、例えば純度９９．９％のマグネシウムと亜鉛の合金である。マグネシウム合金片１４は板状であり、その寸法は、容器部１２２の大きさに応じて設定され、例えば１０〜２０ｍｍ角である。
クエン酸水溶液は、クエン酸を水に溶かした水溶液である。クエン酸水溶液には、更にビタミンや砂糖が添加されていてもよい。
吸収体１６は、クエン酸水溶液を吸収して保持することができる。吸収体１６は、例えば、布、紙、綿、不織布、スポンジ、及びティッシュ等である。
【００１９】
次に、使用者は、マグネシウム合金片１４を吸収体１６で包んで覆い、容器部１２２の中に入れる。なお、吸収体１６は、マグネシウム合金片１４に接触すれば、必ずしもマグネシウム合金片１４を覆わなくてもよい。
【００２０】
最後に、使用者は、吸収体１６をクエン酸水溶液で浸して蓋１２４を閉め、容器部１２２の底面を患部に当てる。その際、クエン酸水溶液は吸収体１６に保持されているので、孔１２８（図１（Ｂ）参照）から漏れることは抑制される。容器部１２２の底面を患部に接触させた状態でそのまま放置すると、マグネシウム合金片と、マグネシウム合金片に接触した吸収体１６に含まれるクエン酸水溶液とが反応し、高濃度の水素ガスが発生する。発生した水素ガスは、容器部１２２の孔１２８から放出される。孔１２８から放出された水素ガスは、窪み１２６に溜まり患部に当たる。
【００２１】
このように、本実施の形態に係る水素ガス発生器１２は、外部電源を使用することなく高濃度の水素ガスを発生でき、取り扱いが容易で携帯も可能である。
【００２２】
〔第２の実施の形態〕
本発明の第２の実施の構成に係る水素ガス発生器２０は、図３に示すように、容器部２２、チューブ接続部２３及びチューブ２４を備え、容器部２２の内部にてマグネシウム合金及びクエン酸水溶液が反応することによって、例えば鼻から水素ガスを体内に入れて患部の治療に使用する水素を発生できる。
【００２３】
容器部２２は、底を有する円筒状で、一端側が開口している。
チューブ接続部２３は、容器部２２に挿入され、開口部を塞ぐことができる。
【００２４】
チューブ２４は、チューブ接続部２３に固定され、容器部２２の内部から延びる管である。チューブ２４には、それぞれ孔が開いた２つの突起２６が設けられている。これらの突起２６は、鼻孔に挿入される。
【００２５】
次に、水素ガス発生器２０の使用方法（水素ガス発生方法）について説明する。
まず、使用者は、水素ガス発生器２０、マグネシウム合金片、及びクエン酸水溶液を準備する。
【００２６】
ここで、マグネシウム合金片は、例えば純度９９．９％のマグネシウムと亜鉛の合金である。マグネシウム合金片は板状であり、その寸法は、容器部２２の大きさに応じて設定され、例えば５〜２０ｍｍ角である。
クエン酸水溶液は、クエン酸を水に溶かした水溶液である。クエン酸水溶液には、更にビタミンや砂糖が添加されていてもよい。
【００２７】
次に、使用者は、マグネシウム合金片を容器部２２の中に入れる。
その後、使用者は、容器部２２にクエン酸水溶液を注ぎ、チューブ接続部２３を容器部２２に挿入して栓をする。
最後に、使用者は、チューブ２４の突起２６を鼻孔に挿入し、容器部２２を例えば胸ポケットに入れる。チューブ２４を鼻孔に挿入した状態でそのまま放置すると、マグネシウム合金片と、クエン酸水溶液とが反応し、水素ガスが発生する。発生した水素ガスは、チューブ２４を通り、孔が開いた２つの突起２６から放出される。突起２６から放出された水素ガスは、鼻孔から吸入される。
【００２８】
このように、本実施の形態に係る水素ガス発生器２０は、外部電源を使用することなく高濃度の水素ガスを鼻から吸入でき、取り扱いが容易で携帯も可能である。
【００２９】
〔第３の実施の形態〕
本発明の第３の実施の構成に係る水素ガス発生器３２は、図４に示すように、容器部３２２及び蓋３２４を備え、マグネシウム合金及びクエン酸水溶液が反応することによって、水素ガスを発生できる。発生した水素ガスは、例えば、耳孔に注入して患部を治療する目的や水素水を生成する目的で使用される。
【００３０】
容器部３２２は、底を有する円筒状で、一方が開口している。開口部の端部の外周面には、雄ねじが形成されている。
【００３１】
蓋３２４は、容器部３２２の開口部を覆うことができる。蓋３２４には、容器部３２２の雄ねじに対応する雌ねじが形成され、容器部３２２にねじ込まれることにより、容器部３２２に取り付けられる。蓋３２４の端部の面には、孔３２６が設けられている。
なお、孔３２６は、蓋３２４ではなく、容器部３２２に形成されていてもよい。
【００３２】
次に、水素ガス発生器３２の使用方法（水素ガス発生方法）について説明する。
まず、使用者は、水素ガス発生器３２、マグネシウム合金片、及びクエン酸水溶液を準備する。
ここで、マグネシウム合金は、例えば純度９９．９％のマグネシウムと亜鉛の合金である。マグネシウム合金片は板状であり、その寸法は、容器部３２２の大きさに応じて設定され、例えば８〜４０ｍｍ角である。
クエン酸水溶液は、クエン酸を水に溶かした水溶液である。クエン酸水溶液には、更にビタミンや砂糖が添加されていてもよい。
【００３３】
次に、使用者は、マグネシウム合金片を、容器部３２２の中に入れる。
その後、使用者は、容器部３２２にクエン酸水溶液を注ぎ、蓋３２４を閉める。
最後に、使用者は、水素ガス発生器３２を蓋３２４の側から耳孔に挿入する。水素ガス発生器３２を耳孔に挿入した状態でそのまま放置すると、マグネシウム合金片と、クエン酸水溶液とが反応し、水素ガスが発生する。発生した水素ガスは、蓋３２４に形成された孔３２６から放出される。孔３２６から放出された水素ガスは、耳孔に供給される。
【００３４】
このように、本実施の形態に係る水素ガス発生器３２は、外部電源を使用することなく高濃度の水素ガスを耳孔に当てることができ、取り扱いが容易で携帯も可能である。
付言すると、水素ガス発生器３２は、容器部３２２に水を入れて水素水を生成することも可能である。
なお、水素ガス発生器３２は、用途に応じて適切なサイズに設定される。例えば、発生した水素ガスを耳孔に供給する場合には、耳孔に入るサイズとし、発生した水素ガスを使用して水素水を生成する場合には、より大きなサイズとすることができる。また、蓋３２４は、ねじを用いて容器部３２２に取り付けられなくてもよい。
【００３５】
〔第４の実施の形態〕
本発明の第４の実施の構成に係る水素ガス発生器４０は、図５に示すように、容器部４２、容器固定部４４、及び耳掛け部４６を備え、容器部４２の内部にてマグネシウム合金及びクエン酸水溶液が反応することによって、例えば患部の治療に使用する水素を発生できる。
【００３６】
容器部４２は、例えば樹脂製であり、一方が開口している。開口部の端部の外周面には、雄ねじが形成されている。容器部４２の側面の外側には窪み４２２が設けられている。この窪み４２２には、孔４２４が形成されている。
【００３７】
容器固定部４４は、容器部４２を固定できる。容器固定部４４には、容器部４２の雄ねじに対応する雌ねじが形成されている。容器固定部４４には、容器部４２がねじ込まれ、容器部４２の開口部は、容器固定部４４によって塞がれる。
【００３８】
耳掛け部４６は、容器固定部４４から延び、耳に掛けられる。耳掛け部４６は、容器固定部４４から上方に延びる固定部材４６２及び耳に掛けられる可動部材４６４を有している。固定部材４６２及び可動部材４６４は、固定部材４６２に設けられた回転軸部４６６を介して互いに連結されており、可動部材４６４は、回転軸部４６６の中心軸ＡＸ１回りに回転できる。
【００３９】
次に、水素ガス発生器４０の使用方法（水素ガス発生方法）について説明する。
まず、使用者は、水素ガス発生器４０、図示しないマグネシウム合金片、クエン酸水溶液、及び吸収体を準備する。
【００４０】
ここで、マグネシウム合金片は、例えば純度９９．９％のマグネシウムと亜鉛の合金である。マグネシウム合金片は板状であり、その寸法は、容器部４２の大きさに応じて設定され、例えば１０〜１８ｍｍ角である。
クエン酸水溶液は、クエン酸を水に溶かした水溶液である。クエン酸水溶液には、更にビタミンや砂糖が添加されていてもよい。
吸収体は、クエン酸水溶液を吸収して保持することができる。吸収体は、例えば、布、紙、綿、不織布、スポンジ、及びティッシュ等である。
【００４１】
次に、使用者は、マグネシウム合金片を吸収体で包んで覆い、容器部４２の中に入れる。なお、吸収体は、マグネシウム合金片に接触すれば、必ずしもマグネシウム合金片を覆わなくてもよい。
続いて、使用者は、吸収体をクエン酸水溶液で浸し、容器部４２を容器固定部４４に取り付ける。
最後に、使用者は、可動部材４６４を回転させて位置を調整し、容器部４２の窪み４２２を耳に対向させるようにして、耳掛け部４６を耳に掛ける。その際、クエン酸水溶液は吸収体に保持されているので、孔４２４から漏れることは抑制される。容器部４２の孔４２４を耳孔に対向させた状態でそのまま放置すると、マグネシウム合金片と、クエン酸水溶液とが反応し、水素ガスが発生する。発生した水素ガスは、容器の孔４２４から放出される。孔４２４から放出された水素ガスは、窪み４２２に溜まり耳孔に供給される。
【００４２】
このように、本実施の形態に係る水素ガス発生器４０は、耳に掛けられるので、手を添えることなく高濃度の水素ガスを耳孔に当てることができ、取り扱いが容易である。また、水素ガス発生器４０は、外部電源も不要で携帯も可能である。
【００４３】
以上、本発明の実施の形態を説明したが、本発明は、上記した形態に限定されるものでなく、要旨を逸脱しない条件の変更等は全て本発明の適用範囲である。
【符号の説明】
【００４４】
１２  水素ガス発生器
１２２  容器部
１２４  蓋
１２６  窪み
１２８  孔
１４  マグネシウム合金片
１６  吸収体
２０  水素ガス発生器
２２  容器部
２３  チューブ接続部
２４  チューブ
２６  突起
３２  水素ガス発生器
３２２  容器部
３２４  蓋
３２６  孔
４０  水素ガス発生器
４２  容器部
４２２  窪み
４２４  孔
４４  容器固定部
４６  耳掛け部
４６２  固定部材
４６４  可動部材
４６６  回転軸部
【図１】
2017140336.tif 000003
【図２】
2017140336.tif 000004
【図３】
2017140336.tif 000005
【図４】
2017140336.tif 000006
【図５】
2017140336.tif 000007